(57)【要約】      （修正有）【課題】自由に物品展示ユニットの形状を定めることができ、しかも複数の物品展示ユニットの組み合わせのバリエーションを増やすことができる物品展示装置を提供する。【解決手段】６つのベース側フランジ部５ａ〜５ｆは、ベース３の六角形の外周部７ａ〜ｆの各辺にそれぞれ１つずつ設けられている。６つのベース側フランジ部５ａ〜ｆは、それぞれ、ベース３の外周部７ａ〜７ｆを中心に上下動可能に設けられている。また、ベース側フランジ部５ａ〜５ｆの底面側に位置するそれぞれの裏面９ａ〜９ｆには、面ファスナの一方の構成要素となる連結部１１ａ〜１１ｆがそれぞれ１つずつ備えられている。【選択図】図１
2016185245.tif 000002
【特許請求の範囲】
【請求項１】
外部から見ることができるように物品が置かれる物品展示ユニットが、複数組み合わせて構成される物品展示装置であって、
前記物品展示ユニットが、
設置面に置かれるベースと、
前記ベースの外周部に設けられて前記外周部を中心にして上下動可能なベース側フランジ部と、
前記ベース側フランジ部の裏面に設けられた１以上の連結部とを備え、
前記１以上の連結部と前記ベース側フランジ部の表面部分とが、面ファスナを形成するようにそれぞれ構成されており、
隣り合う二つの前記物品展示ユニットが、前記面ファスナにより連結されていることを特徴とする物品展示装置。
【請求項２】
前記複数の物品展示ユニットには、前記ベースの上に前記物品を外部から見えるように収納する収納室を形成する収納室構成部を備えた立体型物品展示ユニットと、前記収納室構成部を備えないフラット型物品展示ユニットの少なくとも一方が含まれている請求項１に記載の物品展示装置。
【請求項３】
前記立体型物品展示ユニットの前記収納室構成部は、
一端が前記ベースに結合されて前記収納室内の前記物品を外部から覗くことを可能にする窓部を備えた周壁部と、
前記周壁部の他端に結合されて前記収納室の天井を構成する天井部とを備えており、
前記天井部は前記周壁部に結合された部分の外側に延びる天板側フランジ部を備えており、
前記天板側フランジ部の表面部分が前記ベース側フランジ部に設けられた前記連結部と面ファスナを形成するように構成されている請求項２に記載の物品展示装置。
【請求項４】
前記立体型物品展示ユニット及び前記フラット型物品展示ユニットは、それぞれ複数の布片を縫い合わせて形成した外装部と該外装部によって覆われた芯材部とから構成される縫いぐるみ構造を有している請求項２に記載の物品展示装置。
【請求項５】
前記連結部は、フック状に起毛されたフック起毛部によって構成され、
前記ベース側フランジ部の前記表面部分及び前記天板側フランジ部の表面部分を構成する前記布片は、前記フック起毛部と係合するループ状に起毛されたループ起毛部を備えている請求項３または４に記載の物品展示装置。
【請求項６】
前記立体型物品展示ユニットの前記収納室の内部には、前記天井部を支える３本以上の支柱が、前記ベースの前記外周部に沿って間隔をあけて配置されている請求項３乃至５のいずれか１項に記載の物品展示装置。
【請求項７】
前記支柱の前記ベース側の端部が前記ベースと縫合されている請求項６に記載の物品展示装置。
【請求項８】
外部から見ることができるように物品が置かれる物品展示ユニットであって、
設置面に置かれるベースと、
前記ベースの外周部に設けられて前記外周部を中心にして上下動可能なベース側フランジ部と、
前記ベース側フランジ部の裏面に設けられた１以上の連結部とを備え、
前記１以上の連結部と前記ベース側フランジ部の表面部分とが、面ファスナを形成するようにそれぞれ構成されていることを特徴とする物品展示ユニット。
【発明の詳細な説明】
【技術分野】
【０００１】
本発明は、外部から見ることができるように物品が置かれる物品展示ユニットが、複数組み合わせされて構成される物品展示装置に関するものである。
【背景技術】
【０００２】
従来、小売店の店内、イベント会場等において、玩具、食品、文房具、その他の身の回り品等の小型物品を展示又は陳列する物品展示装置としては、合板や樹脂板又はパイプ等を加工して組み立てられた棚、台等が用いられてきた。
【０００３】
しかしながら、棚や台等の物品展示装置では、個別に設計された専用の構造と装飾を有しているため、汎用性に乏しかった。また、需要者等の興味を惹くために、物品展示のレイアウトは定期的に変更することが好ましいが、従来の棚や台等の物品展示装置では、新たな機材を購入せずに、物品展示のレイアウトを展示する者が変更することは難しかった。
【０００４】
これに対して、物品展示装置の汎用性を高め、容易なレイアウトの変更を可能にするために、複数の物品展示ユニットを組み合わせて構成される物品展示装置が提案されている。
【０００５】
実開昭５０−４１４９６号公報（特許文献１）には、高さの異なる六角柱型の物品展示ユニットが複数組み合わせされて構成される物品展示装置が示されている。この物品展示装置では、各物品展示ユニットの側壁に設けられた凹凸が嵌合することにより、各物品展示ユニットが連結されている。
【０００６】
また、実開昭６３−４５６６０号公報（特許文献２）には、直方体型の物品展示ユニットが複数組み合わされて構成される物品展示装置が示されている。この物品展示装置では、各物品展示ユニットの側壁の各面に設けられた面ファスナにより、各物品展示ユニットが連結されている。
【先行技術文献】
【特許文献】
【０００７】
【特許文献１】実開昭５０−４１４９６号公報
【特許文献２】実開昭６３−４５６６０号公報
【発明の概要】
【発明が解決しようとする課題】
【０００８】
このような複数の物品展示ユニットを組み合わせて構成される物品展示装置においては、物品展示ユニットをある程度自由に組み合わせることができるため、ある程度は自由にレイアウトの変更をして物品を展示することができる。
【０００９】
しかしながら、特許文献１で示された物品展示装置では、各物品展示ユニットの側壁を密着なければ、各物品展示ユニットを連結できない。また、特許文献２で示された物品展示装置でも、各物品展示ユニットのいずれかの面を密着させなければ、各物品展示ユニットを連結できない。そのため、これらの物品展示装置では、各部物品展示ユニットは常に密着した配置にする必要があり、各物品展示ユニットの形状に制限が生じていた。また複数の物品展示ユニットの組み合わせのバリエーションを増やすことに制約が多かった。
【００１０】
本発明の目的は、自由に物品展示ユニットの形状を定めることができ、しかも複数の物品展示ユニットの組み合わせのバリエーションを増やすことができる物品展示装置を提供することにある。
【課題を解決するための手段】
【００１１】
本発明は、外部から見ることができるように物品が置かれる物品展示ユニットが、複数組み合わされて構成される物品展示装置を改良の対象とする。本発明では、物品展示ユニットは、設置面に置かれるベースと、ベースの外周部に設けられて外周部を中心にして上下動可能なベース側フランジ部と、ベース側フランジ部の裏面に設けられた１以上の連結部とを備えている。なお、ベースは、展示する物品を置くことができるだけの面積を有している。また、ベース側フランジ部は、複数設けられていてもよい。この１以上の連結部とベース側フランジ部の表面部分とが、面ファスナを形成するようにそれぞれ構成されており、隣り合う二つの物品展示ユニットが、面ファスナにより連結されている。
【００１２】
本発明によれば、隣り合う二つの物品展示ユニットが一方の物品展示ユニットのベース側フランジ部に設けた連結部と他方の物品展示ユニットのベース側フランジ部の表面部分とが、面ファスナによって連結されるため、隣り合う二つの物品展示ユニットのベースを密着させる必要がなく、しかも連結部と表面部分の互いに向かい合う方向の重なり長さを変えたり、両者の互いに向かい合う方向の重ね合わせ位置を変えることにより、複数の物品展示ユニットの組み合わせのバリーションを増やすことができる。これにより、隣り合う二つの物品展示ユニットの距離や位置関係を自由に設定できるようになるため、従来よりも高い自由度で物品展示ユニットの配置を変更することができる。なお、上記のような構成を採用したことにより、隣り合う二つの物品展示ユニットのベースの形状を、互いに密着しない形状とすることができるようになるため、隣り合う二つの物品展示ユニットの一方のベースの形状を円形や楕円形にすることも可能になる。
【００１３】
複数の物品展示ユニットには、ベースの上に物品を外部から見えるように収納する収納室を形成する収納室構成部を備えた立体型物品展示ユニットと、収納室構成部を備えないフラット型物品展示ユニットの少なくとも一方を用いることができる。立体型物品展示ユニットは、収納室の内部に物品を置いて展示することもでき、収納室の天井の上に物品を置いて展示することもできる。また、収納室の天井には、さらに別の立体型物品展示ユニットを配置することもできる。このような立体型物品展示ユニットを用いることにより、立体型物品展示ユニットを縦方向に配置した立体的な物品展示ユニットの配置を実現することができる。フラット型物品展示ユニットは、ベースの上に物品を置いて展示することができる。このようなフラット型物品展示ユニットを用いることにより、フラット型物品展示ユニットを横方向に配置した平面的な物品展示ユニットの配置を実現することができる。さらに、立体型物品展示ユニットとフラット型物品展示ユニットを組み合わせて用いると、立体的かつ平面的な物品展示ユニットの配置を実現することができる。
【００１４】
立体型物品展示ユニットの収納室構成部は、一端がベースに結合されて収納室内の物品を外部から覗くことを可能にする窓部を備えた周壁部と、周壁部の他端に結合されて収納室の天井を構成する天井部とを備えており、天井部は周壁部に結合された部分の外側に延びる天板側フランジ部を備えており、天板側フランジ部の表面部分がベース側フランジ部に設けられた連結部と面ファスナを形成するように構成されていてもよい。このように構成すると、立体型物品展示ユニットの収納室の天井に、さらに別の立体型物品展示ユニットを配置する場合に、上に配置した別の立体型物品展示ユニットのベース側フランジ部と、下に配置した立体型物品展示ユニットの天板側フランジ部を連結することが可能になり、上に配置した別の立体型物品展示ユニットの位置がずれないようにしっかりと固定することができる。
【００１５】
また、立体型物品展示ユニット及びフラット型物品展示ユニットは、それぞれ複数の布片を縫い合わせて形成した外装部と該外装部によって覆われた芯材部とから構成される縫いぐるみ構造を有しているのが好ましい。このような縫いぐるみ構造にすると、ぬいぐるみ玩具や布製の小物等を展示した場合に、物品展示装置の表面の材質感と展示する物品の材質感が近くなり、展示の視覚的効果を高めることができる。
【００１６】
連結部は、フック状に起毛されたフック起毛部によって構成され、ベース側フランジ部の表面及び天板側フランジ部の表面または裏面を構成する布片は、フック起毛部と係合するループ状に起毛されたループ起毛部を備えていてもよい。このような構成を採用すると、面ファスナを構成するための専用部品を取り付ける数を減らすことができ、しかもベース側フランジ部のデザインの自由度を高めることができる。
【００１７】
立体型物品展示ユニットの収納室の内部には、天井部を支える３本以上の支柱が、ベースの外周部に沿って間隔をあけて配置されていることが好ましい。このような支柱を設けることにより、立体型物品展示ユニットを何段にも重ねた場合であっても、下方の段に位置する立体型物品展示ユニットの収納室が押しつぶされずに、上方の段に位置する立体型物品展示ユニットを支えることができる。なお支柱のベース側の端部は、ベースと縫合されていてもよい。こうすることにより、支柱の位置がずれることを防ぐことができる。
【００１８】
なお、本発明の物品展示ユニットは、複数組み合わせて物品展示装置として用いるだけではなく、単独で物品を展示するための装置として用いることができるのは当然である。
【図面の簡単な説明】
【００１９】
【図１】（Ａ）は本発明の実施の形態の立体型展示ユニットの平面図であり、（Ｂ）は底面図、（Ｃ）は正面図、（Ｄ）は右側面図、（Ｅ）は（Ａ）におけるＥ−Ｅ線拡大端面図である。
【図２】（Ａ）は本発明の実施の形態のフラット型展示ユニットの平面図であり、（Ｂ）は底面図、（Ｃ）は正面図、（Ｄ）は右側面図、（Ｅ）は（Ａ）におけるＥ−Ｅ線拡大端面図である。
【図３】（Ａ）及び（Ｂ）は、隣り合う２つの立体型物品展示ユニットが連結している状態を示す拡大正面図、（Ｃ）は上下に重ねられた２つの立体型物品展示ユニットが連結している状態を示す拡大正面図である。
【図４】２３個のフラット型展示ユニットと１個の立体型物品展示ユニットとを組み合わせた物品展示装置の斜視図である。
【図５】１８個のフラット型展示ユニットを組み合わせた物品展示装置の斜視図である。
【図６】２５個の立体型物品展示ユニットを組み合わせた物品展示装置の斜視図である。
【図７】１５個の立体型物品展示ユニットを組み合わせた物品展示装置の斜視図である。
【図８】（Ａ）は１４個の立体型物品展示ユニットを組み合わせた物品展示装置の斜視図であり、（Ｂ）は、側面側から見た物品展示装置の立体型物品展示ユニットの配置を模式的に表した図である。
【発明を実施するための形態】
【００２０】
以下、図面を参照して、本発明を適用した物品展示装置の実施の形態について説明する。
【００２１】
図１（Ａ）は、本発明を適用した立体型展示ユニット１の平面図である。（Ｂ）は、立体型展示ユニット１の底面図であり、（Ｃ）は、立体型展示ユニット１の正面図であり、（Ｄ）は、立体型展示ユニット１の右側面図であり、（Ｅ）は、図１（Ａ）における立体型展示ユニット１のＥ−Ｅ部分拡大端面図である。
【００２２】
本実施の形態の立体型展示ユニット１は、平面視が六角形のベース３と、６つのベース側フランジ部５ａ〜５ｆと、収納室構成部１３とから構成されている。ベース３は、展示する物品を置くことができるだけの十分な面積を有している。６つのベース側フランジ部５ａ〜５ｆは、ベース３の六角形の外周部７ａ〜７ｆの各辺にそれぞれ１つずつ設けられている。６つのベース側フランジ部５ａ〜５ｆは、それぞれ、ベース３の外周部７ａ〜７ｆを中心に上下動可能に設けられている。また、ベース側フランジ部５ａ〜５ｆの底面側に位置するそれぞれの裏面９ａ〜９ｆには、面ファスナの一方の構成要素となる連結部１１ａ〜１１ｆがそれぞれ１つずつ備えられている。
【００２３】
収納室構成部１３は、物品を外部から見えるように収納する収納室を形成するようにベース３の上に備えられている。収納室構成部１３は、周壁部１７と天井部１９とを備えており、周壁部１７と天井部１９とベース３とで囲まれたスペースが収納室となる。周壁部１７は、ベース３に結合された６枚の周壁板２１ａ〜２１ｆで構成されている。４枚の周壁板２１ｂ〜２１ｅのベース３側の端部は、それぞれベース３の外周部７ｂ〜７ｅに沿って配置されて外周部７ｂ〜７ｅに連結されている。４枚の周壁板２１ｂ〜２１ｅは収納室の内部に凸となるように湾曲している。また、周壁板２１ａ及び２１ｆのベース３側の端部は、外周部７ａ及び７ｆよりもベース３の中央よりの位置にベース３を横切るように配置されている。そして周壁板２１ａ及び２１ｆには、両周壁板に跨がるように、窓部２３が形成されている。
【００２４】
天井部１９は、周壁部１７の天井側の端部に結合されて収納室の天井を構成している。天井部１９は、天板２５と４つの天板側フランジ部１５ａ〜１５ｄとから構成されている。天板２５の外周部２７ａ〜２７ｆは、それぞれ周壁板２１ａ〜２１ｆの天井側の端部に沿って配置されている。４つの天板側フランジ部１５ａ〜１５ｄは、天板２５の外周部２７ｂ〜２７ｅの各辺にそれぞれ１つずつ設けられている。４つの天板側フランジ部１５ａ〜１５ｄは、それぞれ、外周部２７ｂ〜ｅを中心に上下動可能に設けられている。さらに収納室の内部には、天井部１９を支える３本の三角柱の支柱２９ａ〜２９ｃが配置されている。３本の支柱２９ａ〜２９ｃは、支柱２９ａの頂点の１つが周壁板２１ａ及び２１ｂ相互の境界に近づくように、支柱２９ｂの頂点の１つが周壁板２１ｃ及び２１ｄ相互の境界に近づくように、支柱２９ｃの頂点の１つが周壁板２１ｅ及び２１ｆ相互の境界に近づくように、それぞれ配置されている。このように配置することにより、３本の支柱２９ａ〜ｃがバランスよく天井部１９を支えることができるとともに、窓部２３から収納室の内部を見た際に、少なくとも支柱２９ａ及び２９ｃについては、見えにくい位置に配置されることになる。支柱２９ａ〜２９ｃのベース３側の端部は、ベース３と縫合されて固定されている。このような支柱２９ａ〜２９ｃを設けることにより、立体型物品展示ユニット１を何段にも重ねた場合であっても、下方の段に位置する立体型物品展示ユニット１の収納室が押しつぶされずに、上方の段に位置する立体型物品展示ユニット１を支えることができる。支柱２９ａ〜２９ｃとベース３とを縫合することにより、支柱２９ａ〜２９ｃの位置がずれることを防ぐことができる。
【００２５】
図１（Ｅ）に示すように、立体型物品展示ユニット１は、それぞれ複数の布片を縫い合わせて形成した外装部３１と外装部３１によって覆われた芯材部３３とから構成される縫いぐるみ構造を有している。本実施の形態では、外装部３１を形成する布片は、ポリエステル製の繊維材料を用いている。このような縫いぐるみ構造にすると、ぬいぐるみ玩具や布製の小物等を展示した場合に、物品展示装置の表面の材質感と展示する物品の材質感が近くなり、展示の視覚的効果を高めることができる。また、面ファスナーを形成する一方である連結部１１ａ〜１１ｆは、フック状に起毛されたフック起毛部で形成されており、面ファスナーの他方を形成するベース側フランジ部５ａ〜５ｆの表面部分３１ｂ及び天板側フランジ部１５ａ〜１５ｄの表面部分３１ａは、フック起毛部と係合するループ状に起毛されたループ起毛部を備えている。このような構成を採用すると、面ファスナを構成するための専用部品を取り付ける数を減らすことができ、しかもベース側フランジ部５ａ〜５ｆのデザインの自由度を高めることができる。芯材部３３を形成する材料には、発泡ポリエチレンを用いている。
【００２６】
次に、本発明を適用したフラット型物品展示ユニットの実施の形態の構造について説明する。図２（Ａ）は、本発明を適用したフラット型展示ユニット４１の平面図である。（Ｂ）は、フラット型展示ユニット４１の底面図であり、（Ｃ）は、フラット型展示ユニット４１の正面図であり、（Ｄ）は、フラット型展示ユニット４１の右側面図であり、（Ｅ）は、図２（Ａ）におけるフラット型展示ユニット４１のＥ−Ｅ部分拡大端面図である。
【００２７】
本実施の形態のフラット型展示ユニット４１は、平面視が六角形のベース４３と、６つのベース側フランジ部４５ａ〜４５ｆとから構成されている。ベース４３は、展示する物品を置くことができるだけの十分な面積を有している。６つのベース側フランジ部４５ａ〜４５ｆは、ベース４３の六角形の外周部４７ａ〜４７ｆの各辺にそれぞれ１つずつ設けられている。６つのベース側フランジ部４５ａ〜４５ｆは、それぞれ、外周部４７ａ〜４７ｆを中心に上下動可能に設けられている。また、ベース側フランジ部４５ａ〜４５ｆの底面側となるそれぞれの裏面４９ａ〜４９ｆには、面ファスナの一方となる連結部５１ａ〜５１ｆがそれぞれ１つずつ備えられている。また、ベース部には、流氷を模した装飾物５３及び５５が配置されている。
【００２８】
図２（Ｆ）に示すように、フランジ型物品展示ユニット４１は、それぞれ複数の布片を縫い合わせて形成した外装部５７と外装部５７によって覆われた芯材部５９とから構成される縫いぐるみ構造を有している。本実施の形態では、外装部５７を形成する布片は、ポリエステル製の繊維材料を用いている。また、面ファスナーを形成する一方である連結部５１ａ〜５１ｆは、フック状に起毛されたフック起毛部で形成されており、面ファスナーの他方を形成するベース側フランジ部４５ａ〜４５ｆの表面部分５７ａは、フック起毛部と係合するループ状に起毛されたループ起毛部を備えている。芯材部５９を形成する材料は、発泡ポリエチレンを用いている。
【００２９】
次に物品展示ユニット同士の連結構造について説明する。図３（Ａ）は、隣り合う２つの立体型物品展示ユニット１が連結している状態を示す拡大正面図である。図３（Ａ）に示すように、一方の立体型物品展示ユニット１のベース側フランジ部５ｂと、他方の立体型物品展示ユニット１のベース側フランジ部５ｅとが重なり合うように配置される。そして、ベース側フランジ部５ｅの裏面９ｅに備えられた連結部１１ｅと、ベース側フランジ部５ｂの表面部分３１ｂとが係合することにより、一方の立体型物品展示ユニット１と、他方の立体型物品展示ユニット１とは連結される。一方の立体型物品展示ユニット１のベース３と、他方の立体型物品展示ユニット１のベース３とが、同一設置面上に設置される必要があるときには、一方の立体型物品展示ユニット１のベース側フランジ部５ｂは下方向に動き、他方の立体型物品展示ユニット１のベース側フランジ部５ｅは上方向に動くことによって、ベース側フランジ部５ｂと、ベース側フランジ部５ｅとが重なり合っている。
【００３０】
図３（Ｂ）も、隣り合う２つの立体型物品展示ユニット１が連結している状態を示す拡大正面図である。図３（Ｂ）では、一方の立体型物品展示ユニット１のベース３と、他方の立体型物品展示ユニット１のベース３との間の距離が広がっているため、ベース側フランジ部５ｂと、ベース側フランジ部５ｅとが完全には重なり合っていない。しかしながら、ベース側フランジ部５ｅの裏面９ｅに備えられた連結部１１ｅの一部と、ベース側フランジ部５ｂの表面部分３１ｂとが係合しているため、一方の立体型物品展示ユニット１と、他方の立体型物品展示ユニット１とは十分に連結されている。このようにベース側フランジ部５ｅの裏面９ｅに備えられた連結部１１ｅの一部と、ベース側フランジ部５ｂの表面部分３１ｂとによって、隣り合う二つの立体型物品展示ユニット１が連結されるため、隣り合う立体型物品展示ユニット１のベース３が密着させる必要がなく、しかも連結部１１ｅと表面部分３１ｂの互いに向かい合う方向の重なり長さを変えたり、両者の互いに向かい合う方向の重ね合わせ位置を変えることにより、複数の立体型物品展示ユニット１の組み合わせのバリーションを増やすことができる。これにより、隣り合う二つの立体型物品展示ユニット１の距離や位置関係を自由に設定できるようになるため、従来よりも高い自由度で立体型物品展示ユニット１の配置を変更することができる。
【００３１】
なお、上記では、２つの立体型物品展示ユニット１の連結構造について説明したが、同様の連結構造で、２つのフラット型展示ユニット４１も連結することができ、立体型物品展示ユニット１とフラット型展示ユニット４１とを連結することもできる。
【００３２】
図３（Ｃ）は、上下に重ねられた２つの立体型物品展示ユニット１が連結している状態を示す拡大正面図である。図３（Ｃ）に示すように、上側の立体型物品展示ユニット１のベース側フランジ部５ｂと、下側の立体型物品展示ユニット１の天板側フランジ部１５ａとが重なり合うように配置される。そして、ベース側フランジ部５ｂの裏面９ｂに備えられた連結部１１ｂと、天板側フランジ部１５ａの表面部分３１ａとが係合することにより、上側の立体型物品展示ユニット１と、下側の立体型物品展示ユニット１とは連結される。このように連結構造を構成すると、上に配置した別の立体型物品展示ユニット１の位置がずれないようにしっかりと固定することができる。
【００３３】
次に、複数の物品展示ユニットを組み合わせて構成した物品展示装置の例について説明する。
【００３４】
図４は、２３個のフラット型展示ユニット４１と１個の立体型物品展示ユニット１とを組み合わせた物品展示装置７０の斜視図である。物品展示装置７０においては、２３個のフラット型展示ユニット４１と１個の立体型物品展示ユニット１とが平面的に配置され、隣り合う物品展示ユニットはそれぞれ連結されている。図４では、フラット型展示ユニット４１のベース４３の上と、１個の立体型物品展示ユニット１の天井部１９の上に、展示する物品であるぬいぐるみ玩具７１が置かれている。このように立体型物品展示ユニット１とフラット型物品展示ユニット４１を組み合わせて用いることにより、立体的かつ平面的な物品展示ユニットの配置を実現することができる。
【００３５】
図５は、１８個のフラット型展示ユニット４１を組み合わせた物品展示装置８０の斜視図である。物品展示装置８０は、フラット型展示ユニット４１の組み合わせのみで構成されている。物品展示装置８０においては、２３個のフラット型展示ユニット４１がそれぞれ平面的に配置され、隣り合うフラット型展示ユニット４１はそれぞれ連結されている。図５では、フラット型展示ユニット４１のベース４３の上に、展示する物品であるぬいぐるみ玩具８１が置かれている。このようにフラット型物品展示ユニット４１を用いることにより、平面的な物品展示ユニットの配置を実現することができる。
【００３６】
図６は、２５個の立体型物品展示ユニット１を組み合わせた物品展示装置９０の斜視図である。物品展示装置９０は、立体型物品展示ユニット１の組み合わせのみで構成されている。物品展示装置９０においては、２５個の立体型展示ユニット１が上下５段・横５列に配置され、左右に隣り合う立体型展示ユニット１同士と、上下に重なる立体型展示ユニット１同士とが、それぞれ連結されている。図６では、窓部２３を正面側に向けた立体型展示ユニット１と、窓部２３を背面側に向けた立体型展示ユニット１とで構成されており、窓部２３を正面側に向けた立体型展示ユニット１の収納室内に、展示する物品であるぬいぐるみ玩具９１が置かれている。このように立体型物品展示ユニット１を用いることにより、立体的な物品展示ユニットの配置を実現することができる。
【００３７】
図７は、１５個の立体型物品展示ユニット１を組み合わせた物品展示装置１００の斜視図である。物品展示装置１００は、立体型物品展示ユニット１の組み合わせのみで構成されている。物品展示装置１００においては、立体型展示ユニット１を上下５段に重ね、３つの上下５段の立体型展示ユニット１がそれぞれ隣り合うように配置されている。左右に隣り合う立体型展示ユニット１同士と、上下に重なる立体型展示ユニット１同士とが、それぞれ連結されている。図７では、窓部２３を外周側に向けた立体型展示ユニット１と、窓部２３を内側に向けた立体型展示ユニット１とで構成されており、窓部２３を外周側に向けた立体型展示ユニット１の収納室内に、展示する物品であるぬいぐるみ玩具１０１が置かれている。
【００３８】
図８（Ａ）は、１４個の立体型物品展示ユニット１を組み合わせた物品展示装置１１０の斜視図である。図８（Ｂ）は、側面側から見た物品展示装置１１０の立体型物品展示ユニット１の配置を模式的に表した図である。物品展示装置１１０は、１４個の立体型物品展示ユニット１の組み合わせと、台１１２とで構成されている。物品展示装置１１０は、正面視において立体型展示ユニット１を５個・４個・３個・２個の４段に重ねている。左右に隣り合う立体型展示ユニット１同士は、それぞれ連結されている。図８（Ｂ）に示すように、台１１２のそれぞれの段に４個・３個・２個の３段の立体型展示ユニット１を配置することにより、下の段の立体型展示ユニット１は、上の段の立体型展示ユニット１よりも正面側に配置される。図８（Ａ）では、立体型展示ユニット１の収納室内に、展示する物品であるぬいぐるみ玩具１１１が置かれている。このような物品展示装置１１０では、購入者等が見る正面側については、立体型展示ユニット１しか見ることができないため、台１１２については、どのような材質のものを用いてもよいし、立体型展示ユニット１を組み合わせることにより、台１１２を構成してもよいのはもちろんである。
【産業上の利用可能性】
【００３９】
本発明によれば、自由に物品展示ユニットの配置を変更することができる物品展示装置を提供することができる。
【符号の説明】
【００４０】
１  立体型展示ユニット
３  ベース
５ａ〜５ｆ  ベース側フランジ部
７ａ〜７ｆ  外周部
９ａ〜９ｆ  裏面
１１ａ〜１１ｆ  連結部
１３  収納室構成部
１５ａ〜１５ｄ  天板側フランジ部
１７  周壁部
１９  天井部
２１ａ〜２１ｆ  周壁板
２３  窓部
２５  天板
２７ａ〜２７ｆ  外周部
２９ａ〜２９ｃ  支柱
３１  外装部
３３  芯材部
４１  フラット型展示ユニット
４３  ベース
４５ａ〜４５ｆ  ベース側フランジ部
４７ａ〜４７ｆ  外周部
４９ａ〜４９ｆ  裏面
５１ａ〜５１ｆ  連結部
５３、５５  装飾物
５７  外装部
５９  芯材部
７０，８０，９０，１００，１１０  物品展示装置
７１，８１，９１，１０１，１１１  ぬいぐるみ玩具
１１２  台
【図１】
2016185245.tif 000003
【図２】
2016185245.tif 000004
【図３】
2016185245.tif 000005
【図４】
2016185245.tif 000006
【図５】
2016185245.tif 000007
【図６】
2016185245.tif 000008
【図７】
2016185245.tif 000009
【図８】
2016185245.tif 000010